(57)【要約】【課題】容易に室内機内のフィルターの清掃も行え、室内の汚れた空気を室外に排気するができ、室内の快適性が向上することを目的とする。【解決手段】少なくとも熱交換器と送風機を有した空気調和機の室内機であって、吸引排気する吸引排気装置を配置し、前記吸引排気装置に連通する吸い込みダクトと、前記吸引排気装置から室外へ排気する排気ダクトを有し、前記吸引排気装置としては、モ−タを内蔵した遠心送風機と前記遠心送風機を囲むケ−シングとから形成したことを特徴とする空気調和機。【選択図】  図５
2004278923.tif 000002
【特許請求の範囲】
【請求項１】
少なくとも熱交換器と送風機を有した空気調和機の室内機であって、吸引排気する吸引排気装置を配置し、前記吸引排気装置に連通する吸い込みダクトと、前記吸引排気装置から室外へ排気する排気ダクトを有し、前記吸引排気装置としては、モ−タを内蔵した遠心送風機と前記遠心送風機を囲むケ−シングとから形成したことを特徴とする空気調和機。
【請求項２】
少なくとも熱交換器と送風機を有した空気調和機の室内機であって、吸引排気する吸引排気装置を配置し、前記吸引排気装置に連通する吸い込みダクトと、前記吸引排気装置から室外へ排気する排気ダクトを有し、前記吸引排気装置としては、風上側から順に、筒に覆われてモ−タを内蔵した第１軸流ファン、第１後置静翼、第２軸流ファン、第２後置静翼とから構成したことを特徴とする空気調和機。
【請求項３】
少なくとも熱交換器と送風機を有した空気調和機の室内機であって、吸引排気する吸引排気装置を配置し、前記吸引排気装置に連通する吸い込みダクトと、前記吸引排気装置から室外へ排気する排気ダクトを有し、前記吸引排気装置としては、風上側から順に、筒に覆われてモ−タを内蔵した一段の軸流ファン、後置静翼とから構成したことを特徴とする空気調和機。
【請求項４】
少なくとも熱交換器と送風機を有した空気調和機の室内機であって、吸引排気する吸引排気装置を配置し、前記吸引排気装置に連通する吸い込みダクトと、前記吸引排気装置から室外へ排気する排気ダクトを有し、前記吸引排気装置としては、風上側から順に、筒に覆われてモ−タを内蔵した第１軸流ファン、さらにモ−タを内蔵した反転する第２軸流ファンとから構成したことを特徴とする空気調和機。
【請求項５】
室内の換気をする時は、前記吸引排気装置の前記遠心送風機または前記軸流ファンを低速回転させることを特徴とする請求項１〜４いずれかに記載の空気調和機の制御方法。
【発明の詳細な説明】
【０００１】
【発明の属する技術分野】
本発明は、吸引排気装置を備えた空気調和機の室内機に関するものである。
【０００２】
【従来の技術】
公知の如く、ファンにより吸込んだ空気を熱交換器で冷却もしくは加熱した後、室内へ送風する空気調和機には、吸込む空気中に漂う塵埃が空気調和機の本体内部へ侵入することを防ぐため、空気調和機の吸込口裏面にエアフィルターが設けられており、このエアフィルターは、付着した塵埃を手で清掃できるように着脱自在に構成されている。
【０００３】
また、エアフィルターの清掃が容易な空気調和機として、モータで繰出し／巻取られる帯状のフィルターとフィルターの除塵部材と、フイルタ−に付着した塵埃を貯めるダストボックスから構成されたフイルタ−装置を空気調和機室内機の吸入パネルの吸気口の裏面に設置した構成と成っているものがあった（例えば特許文献１参照）。
【０００４】
【特許文献１】
特開２００１−９９４７９号公報
【０００５】
【発明が解決しようとする課題】
しかしながら、公知技術のエアフィルターは空気調和機の使用頻度に応じて空気調和機より取り外し、水洗いもしくは掃除機などで付着した塵埃を掃除するという周期的なメンテナンスを要する。また更に、周期的なメンテナンスが成されなかった場合、エアフィルターに塵埃が堆積した貯めたダスツボックスの塵埃を清掃するという、定期的なメンテナンスを必要とするものである。すなわち、空気調和機のエアフィルタ−に堆積する塵埃を清掃するというメンテナンスが必ず必要であった。
【０００６】
エアフイルタ−に堆積する塵埃は、吸込み空気が貫通していくエアフィルタ−の通気抵抗が増大するため空気調和機・室内機のＣＯＰが低下し、消費電力が増大するという課題があった。
【０００７】
【課題を解決するための手段】
前記従来の課題を解決するため、本発明の空気調和機は、少なくとも熱交換器と送風機を有した空気調和機の室内機であって、吸引排気する吸引排気装置を配置し、前記吸引排気装置に連通する吸い込みダクトと、前記吸引排気装置から室外へ排気する排気ダクトを有し、前記吸引排気装置としては、モ−タを内蔵した遠心送風機と前記遠心送風機を囲むケ−シングとから形成したものである。遠心送風機は、高圧型のために、以上に記載の経路を通じて塵埃を屋外に排出するだけの静圧がある。
【０００８】
【発明の実施の形態】
第１の発明の実施の形態における空気調和機は、少なくとも熱交換器と送風機を有した空気調和機の室内機であって、吸引排気する吸引排気装置を配置し、前記吸引排気装置に連通する吸い込みダクトと、前記吸引排気装置から室外へ排気する排気ダクトを有し、前記吸引排気装置としては、モ−タを内蔵した遠心送風機と前記遠心送風機を囲むケ−シングとから形成したことを特徴とする。
【０００９】
そして、この構成によって、遠心送風機は高圧型のために、吸い込みダクト・遠心送風機を内蔵した吸引排気装置・排気ダクトの順に空気を経由させて、室内の汚れた空気を室外に排気するだけの静圧を充分に持ったものである。しかし、室内機の構造上から、吸引排気装置は、小型のために、遠心送風機を高速回転にて回転させる必要がある。
【００１０】
第２の発明の実施の形態における空気調和機は、少なくとも熱交換器と送風機を有した空気調和機の室内機であって、吸引排気する吸引排気装置を配置し、前記吸引排気装置に連通する吸い込みダクトと、前記吸引排気装置から室外へ排気する排気ダクトを有し、前記吸引排気装置としては、風上側から順に、筒に覆われてモ−タを内蔵した第１軸流ファン、第１後置静翼、第２軸流ファン、第２後置静翼とから構成したことを特徴とする。
【００１１】
そして、この構成によって、軸流ファンとその後流の旋回成分を回収して静圧とファン効率を向上させる後置静翼を配し、更に軸流ファン・後置静翼のキットを２段にすることで、１段当たりより２倍の静圧を発揮できる。吸い込みノズル・吸い込みダクト・２段の軸流ファンキットを内蔵した吸引排気装置・排気ダクトの順に空気を経由させて、室内の汚れた空気を室外に排気するだけの静圧を充分に持ったものである。しかし、室内機の構造上から、吸引排気装置は、小型のために、２個の軸流ファンを高速回転にて回転させる必要があり、そのことにより、充分の静圧を発揮できるものである。
【００１２】
第３の発明の実施の形態における空気調和機は、少なくとも熱交換器と送風機を有した空気調和機の室内機であって、吸引排気する吸引排気装置を配置し、前記吸引排気装置に連通する吸い込みダクトと、前記吸引排気装置から室外へ排気する排気ダクトを有し、前記吸引排気装置としては、風上側から順に、筒に覆われてモ−タを内蔵した一段の軸流ファン、後置静翼とから構成したことを特徴とする。
【００１３】
そして、この構成によって、軸流ファン・後置静翼のキットが１段であるために、部品点数が少なくてすむ。しかし、１段であるために、内蔵モ−タをより高速で回転させる必要はある。そして、以上の経路を経由して、ホコリを排出できだけの高静圧を有す。また、軸流ファンが低速回転するときは常時換気機能をも持たせた空気調和機も提供できるものである。
【００１４】
第４の発明の実施の形態における空気調和機は、少なくとも熱交換器と送風機を有した空気調和機の室内機であって、吸引排気する吸引排気装置を配置し、前記吸引排気装置に連通する吸い込みダクトと、前記吸引排気装置から室外へ排気する排気ダクトを有し、前記吸引排気装置としては、風上側から順に、筒に覆われてモ−タを内蔵した第１軸流ファン、さらにモ−タを内蔵した反転する第２軸流ファンとから構成したことを特徴とする。
【００１５】
そして、この構成によって、２重反転する鏡面対称な２個の軸流ファンが稼働するとき、一段目の軸流ファンの旋回成分を打ち消して反転する軸流ファンがあるために、風量当たり約２倍以上の静圧を発揮できるのもである。また、軸流ファンの一つが低速回転するときは常時換気機能をも持たせ空気調和機を提供できるものである。
【００１６】
第５の実施の形態における空気調和機の制御方法は、第１から第４のいずれかの実施の形態における空気調和機において、室内の換気をする時は、前記吸引排気装置の前記遠心送風機または前記軸流ファンを低速回転させることを特徴とする。
【００１７】
そして、この構成によって、送風機を低速回転させるときに、吸引ダクト・吸引排気装置・排気ダクトの順に空気を経由させて、室内の汚れた空気を室外に排気することで、換気の機能をもたせることができる。空気調和機による、常時換気も可能にするものである。
【００１８】
【実施例】
以下に、本発明の実施例について、図面を参照しながら説明する。
【００１９】
（実施例１）
図１は本発明の空気調和機の室内機の正面外観図、図２は本発明の空気調和機のＩ−Ｉ断面図であり、第３図はＩＩ−ＩＩ断面図であり、第４図は、エアフィルタ−６に関する構造を示した斜視図である。図５は、吸引排気装置の内部構造を示した正面断面図、図６は、。吸引排気装置の内部構造を示したＡ−Ａ断面図である。空気調和機の室内機１３の内部に熱交換器１１とクロスフロ−ファン１２を有し、室内機１３のエアフィルター６に付着するホコリを吸引し、エアフイルタ−６の左右に動く吸い込みノズル５をエアフイルタ−６の風上側に配し、さらにホコリを吸引・排気する吸引排気装置７を室内機１３の側面に配置し、吸引排気装置７としてはモ−タ１６を内蔵した軸１６ａに固定された遠心送風機１４と遠心送風機１４を囲むケ−シング１５とから形成するものである。ケ−シング１５の吸い込み口１７を吸い込みノズル５に連通する吸い込みダクト３と繋ぎ、更に、ケ−シング１５の吹き出し口１７をホコリを室内機から室外へ排気する排気ダクト８に連通させて、ホコリを排出できる機能を持っている。吸い込み口１７から吸引された空気は、ケ−シング１５を覆う部材１９により密閉さらた空間２０を形成し、その空間２０から、空気を遠心送風機１４に送り込む。
【００２０】
ここで、フィルタ−装置１は、フィルタ−枠２にてエアフィルタ−６が固定されている。
【００２１】
そして、此の構成によって、遠心送風機１４は、一般に高圧型のために、充分にエアフィルタ−６に堆積したホコリを、吸い込みノズル５・吸い込みダクト３から吸い、排気ダクト８を経由してホコリや空気を輸送するだけの静圧を有するものである。また、吸い込み口１７から吸引された空気は、ケ−シング１５を覆う部材１９により密閉さらた空間２０を形成し、その空間２０から、空気を遠心送風機１４に送り込むことで、吸引排気装置７の構成をコンパクト化できる。
【００２２】
（実施例２）
吸引排気装置７としてはモ−タ２４を内蔵した遠心送風機１４と遠心送風機１４を囲むケ−シング１５とから形成し、ケ−シング１５の吸い込み口１７を吸い込みノズル５に連通する吸い込みダクト３と繋ぎ、更に、ケ−シング１５の吹き出し口１８をホコリを室内機１３から室外へ排気する排気ダクト８に連通させる。
【００２３】
そして、此の構成によって、遠心送風機１４を低速回転させるときに、吸い込みノズル５・吸い込みダクト３・遠心送風機１４を内蔵した吸引排気装置７・排気ダクト８の順に空気を経由させて、室内の汚れた空気を室外に排気することで、換気の機能をもたせることができる。即ち、空気調和機による、常時換気も可能にし、吸引排気装置７のモ−タ１６の入力も低減できる。
【００２４】
（実施例３）
図７は、吸引排気装置７の正面断面図である。
【００２５】
吸引排気装置７としては、風上側から順に、筒２５に覆われてモ−タ２４を内蔵した軸流ファン２１、後置静翼２３ａ、軸流ファン２２、後置静翼２３ｂとから構成し、吸い込みダクト３と排気ダクト８に、以上の２段の軸流ファンキットを連通させた構成としホコリを排出でき空気調和機を提供できるものである。モ−タ２４のシャフト２７は、軸流ファン２１・２２に固定されている。２６は、ハブである。
【００２６】
そして、此の構成によって、、軸流ファン２１とその後流の旋回成分を回収して静圧とファン効率を向上させる後置静翼２３ａを配し、更に軸流ファン２２・後置静翼２３ｂのキットを２段にすることで、１段当たりより約２倍の静圧を発揮できる。吸い込みノズル５・吸い込みダクト３・２段の軸流ファンキットを内蔵した吸引排気装置７・排気ダクト８の順に空気を経由させて、室内の汚れた空気を室外に排気するだけの静圧を充分に持ったものである。しかし、室内機１３の構造上から、吸引排気装置７は、小型のために、２個の軸流ファン２１・２２を高速回転にて回転させる必要があり、そのことにより、充分の静圧を発揮できるものである。また、軸流ファン２２が１個でも、低速回転するときは常時換気の機能をも持たせ空気調和機を提供できるものである。
【００２７】
（実施例４）
吸引排気装置７としては、風上側から順に、筒３２に覆われてモ−タ３０を内蔵した軸流ファン２８、後置静翼２９とから構成し、吸い込みダクト３と排気ダクト８に、以上の１段の軸流ファン２８を連通させた構成としたものである。モ−タ３０のシャフト３１を軸流ファン２８に固定して、ハブが２８ｂである。
【００２８】
そして、此の構成によって、軸流ファン２８・後置静翼２９のキットが１段であるために、コクト上安価である。しかし、１段であるために、内蔵モ−タ３０をより高速で回転させる必要はある。そして、１段であってもモ−タ３０をより高速回転させることで、以上の経路を経由して、ホコリを排出できだけの高静圧を有す。また、軸流ファン２８が低速回転するときは常時換気機能をも持たせた空気調和機も提供できるものである。
【００２９】
（実施例５）
吸引排気装置７としては、風上側から順に、筒３９に覆われてモ−タ３５を内蔵した軸流ファン３３、さらにモ−タ３６を内蔵した反転する鏡面対称な軸流ファン３４とから構成し、吸い込みダクト３と排気ダクト８に、以上の２重反転の軸流ファンキットを連通させた構成としている。ハブが、３３ａであり、シャフト３７・３８は、軸流ファン３３・３４に固定されている。
【００３０】
そして、此の構成によって、２重反転する鏡面対称な２個の軸流ファン３３・３４が稼働するとき、一段目の軸流ファン３３の旋回成分を打ち消して反転する軸流ファン３４があるために、風量当たり約２倍以上の静圧を発揮できるのもである。また、軸流ファン３４の一つで低速回転するときは常時換気機能をも持たせ空気調和機を提供できるのもである。
【００３１】
なお、上記各実施例ではフィルター装置は左右に移動するものとしたが、上下に移動するものでも、左端、または右端に吸い込みダクトを設ければ、吸引排気装置と連通する事は可能で、同等の効果が得られるものである。
【００３２】
また、上記各実施例では吸入ノズルと吸入ダクトを直接連通させたものであるが、吸入ノズルに代わりフィルターから塵埃をそぎ落とし、吸い込みダクトに塵埃を溜め、吸引排気装置にて屋外に排出する構成でもよい。
【００３３】
【発明の効果】
上記実施例から明らかなように、吸引排気装置を室内機の側面に配置することによって、吸い込みダクト・送風機を内蔵した吸引排気装置・排気ダクトの順に空気を経由させて、室内の汚れた空気を室外に排気するができ、室内の快適性が向上し、また容易に室内機内のフィルターの清掃も行えるものである。
【図面の簡単な説明】
【図１】本発明の第１の実施例を空気調和機室内機の正面図
【図２】図１のＩ−Ｉ断面における断面図
【図３】図１のＩＩ−ＩＩ断面における断面図
【図４】本発明の第１の実施例を示す空気調和機のフイルタ−装置の斜視図
【図５】本発明の第１の実施例を示す空気調和機の吸引排気装置の内部構造断面図
【図６】図５のＡ−Ａ断面における断面図
【図７】本発明の第３の実施例を示す空気調和機の吸引排気装置の内部構造断面図
【図８】本発明の第４の実施例を示す空気調和機の吸引排気装置の内部構造断面図
【図９】本発明の第５の実施例を示す空気調和機の吸引排気装置の内部構造断面図
【符号の説明】
１  フィルター装置
２  フレーム枠
３  吸い込みダクト
５  吸い込みノズル
６  エアフイルタ−
７  吸引排気装置
８  排気ダクト
１１  熱交換器
１２  クロスフロ−ファン
１３  空気調和機・室内機・本体
１４  遠心送風機
１５  ケ−シング
１７  吸い込み口
１８  吹き出し口
２１、２２、２８、３３  軸流ファン
３４  反転の軸流ファン
２３ａ、２３ｂ、２９  後置静翼
【図１】
2004278923.tif 000003
【図２】
2004278923.tif 000004
【図３】
2004278923.tif 000005
【図４】
2004278923.tif 000006
【図５】
2004278923.tif 000007
【図６】
2004278923.tif 000008
【図７】
2004278923.tif 000009
【図８】
2004278923.tif 000010
【図９】
2004278923.tif 000011